(57)【要約】      （修正有）【課題】マンホール内での工事を安全に実施するための工事安全補助システムを提供する。【解決手段】マンホール工事で安全上必要な測定器具と付設のタラップに着脱自在のタラップ利用安全梯子１とマンホール開口防護手すり２およびマンホール内に酸素濃度・硫化水素濃度測定器５を配置するとともに、酸素濃度・硫化水素濃度を常時測定し、異常時警報を出す事が可能な工事安全補助システム。【選択図】図２
2013213328.tif 000002
【特許請求の範囲】
【請求項１】
マンホール工事で安全上必要な測定器具、安全器具を常備した
事を特徴とするマンホール工事安全補助システム
【請求項２】
タラップ利用安全梯子は、マンホールに付属のタラップに差し込み
安全梯子固定金具で固定し、セーフティブロックと４方向安全手すりを
設置して使用する事を特徴とする請求項１に記載の
マンホール工事安全補助システム
【請求項３】
酸素濃度と硫化水素濃度測定を常時行い、異常時警報を出す事を
特徴とする請求項１に記載の
マンホール工事安全補助システム
【請求項４】
周囲は、光電子センサーで監視し、人が接近時警報を出す事を
特徴とする請求項１に記載のマンホール工事安全補助システム
【請求項５】
異常の警報は、回転灯と音声警報とし、電源は、太陽光発電と
する事を特徴とする請求項１に記載の
マンホール工事安全補助システム
【発明の詳細な説明】
【技術分野】
【０００１】
マンホールの蓋が、開けられると、深い穴が出現します。
深くて、暗くて、臭い穴です。落ちると大事故です。その為に
安全表示が必要です。
【０００２】
マンホール内作業の時は、槽内に入らなければなりません。
その時、酸素濃度、硫化水素濃度の測定、悪い時には、送風機で
空気の入れ替えが必要です。
【０００３】
槽内に入るときは、安全帯の装着が必要です。１人が槽内に入ると
地上には、最低１人残り、通行人などが開口部に落ちないように見張り
が必要です。
【背景技術】
【０００４】
特開2008-231875号公開が、マンホール落下洋上枠が、述べられて
います。
【先行技術文献】
【特許文献】
【０００５】
【特許文献１】特開2008-231875号公開
【発明の概要】
【発明が解決しようとする課題】
【０００６】
マンホール工事の時、蓋を開けますが、小蓋の時は、穴がちいさので
マンホールの出入りにもそんなに感じませんが、親子蓋で、親蓋と子蓋
同時に開けると、２M近くの穴が地表に現れますので、恐怖感を覚えます。
安全の表示と仕切りもしっかりする必要があります。        
【０００７】
タラップの第１段目も地表より２０ｃｍぐらい下に有り、何も
つかむものがないので、緊張して降りて行きます。上がってきた時も、
上がりきって、何もつかむものがないので、地表に立ち上がるまで
緊張します。
【０００８】
マンホールの蓋を開けた時に、マンホールの槽内に楽に出入り出来る
方法を見つける事と、いつも必要な酸素濃度測定や、安全帯をとれる
方法や、安全表示等を忘れずに、スムーズに準備出来る方法を考えだす
事を課題とします。
【課題を解決するための手段】
【０００９】
マンホール工事で安全上必要な測定器具、安全器具をタラップ利用
安全梯子に常備した事を特徴とします。
【００１０】
タラップを利用し、タラップに簡単に抜き差しが出来て、なおかつ
頑丈なタラップ利用安全梯子を作り、４方向安全手すりやセーフティ
ブロックや酸素濃度計等を備え付ける事で安全性を飛躍的に高めます。
【００１１】
タラップ利用安全梯子は、マンホールに付属のタラップに差し込み
安全梯子固定金具で固定し、セーフティブロックと４方向安全手すりを
設置して使用する事を特徴とします。
【００１２】
酸素濃度と硫化水素濃度計を常備し、酸素濃度と硫化水素濃度を常時                      測定し異常時警報を出す事を特徴とします。
【００１３】
周囲は、光電子センサーで監視し、人が接近時警報を出す事を
特徴とします。
【００１４】
異常の警報は、回転灯と音声警報とし、電源は、太陽光発電と
する事を特徴とします。
【発明の効果】
【００１５】
マンホールの工事の安全性が飛躍的に高まる。
【図面の簡単な説明】
【００１６】
【図１】親子蓋のイメージ図
【図２】タラップ利用安全梯子イメージ図
【符号の説明】
【００１７】
１            タラップ利用安全梯子
２            ４方向安全手すり
３            セーフティブロック
４            安全梯子固定冶具
５            酸素・硫化水素濃度測定器
６            周囲安全センサー
７            音声警報機        
８            太陽光発電機
９            警報用回転灯
【発明を実施するための形態】
【００１８】
以下、本発明の実施の形態を図に基づいて説明します。
図１の図面は、マンホールの親子蓋について書いています。
マンホールの蓋は、２通りありまして、普通の通過点に有るマンホール、
このマンホールは、通常よく見かける１枚の蓋です。                                  
もう一つは、種々の配管が集まってくるところで、マンホールポンプ
等が据え付けてあるマンホールで、ポンプの出し入れなどが有ります
ので、マンホールも大きく、蓋も親子蓋になっています。
通常の簡単なメンテナンスは、子蓋で行い、ポンプ出し入れなどは、
広いスペースが必要ですので、親蓋で開けます。                              
【００１９】
図１は、マンホールの蓋をあけ、タラップにタラップ利用安全梯子１            
をかけ、安全梯子固定冶具４で、固定したところです。
【００２０】
タラップ利用安全梯子１に常備されているものは、４方向安全手すり
２、セーフティブロック３、酸素・硫化水素濃度測定器５、周囲安全
センサー６、音声警報機７、太陽光発電機８、警報用回転灯９です。          
【図１】
2013213328.tif 000003
【図２】
2013213328.tif 000004
【手続補正書】
【提出日】平成24年4月7日(2012.4.7)
【手続補正１】
【補正対象書類名】明細書
【補正対象項目名】０００４
【補正方法】変更
【補正の内容】
【０００４】
特開2008-231875号公開は、マンホール落下養生枠について述べ
られています。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
マンホール工事で安全上必要な測定器具、安全器具を常備した
タラップ利用安全梯子であり、該タラップ利用安全梯子は、マンホールに
付属のタラップに差し込み安全梯子固定金具で固定し、セーフティブロック
と４方向安全手すりを設置して使用する事を特徴とする
マンホール工事安全補助システム
【請求項２】
酸素濃度と硫化水素濃度を、前記測定器具を用いて測定を常時行い、
異常時警報を出す事を特徴とする請求項１に記載の
マンホール工事安全補助システム
【請求項３】
周囲は、前記安全器具として、光電子センサーで監視し、人が接近時警報
を出す事を特徴とする請求項１に記載の
マンホール工事安全補助システム
【請求項４】
前記安全器具として、異常の警報は、回転灯と音声警報とし、電源は、
太陽光発電とする事を特徴とする請求項１に記載の
マンホール工事安全補助システム